(57)【要約】【課題】  容器保持用バンドに容器を嵌入させて保持することで衛生的にペットボトルを乾燥させる水切り用具を提供する。【解決する手段】  吸盤式は吸盤２に容器保持用バンド１を挿着する。スライド式は支台４に支柱５を取り付け、容器保持用バンド１を挿着した保持用バンド支持部３と一体物として構成したスライド式鉤部材（支持部材）６を支柱５にスライド可能に軸着させる。【選択図】  図２
2006015316.tif 000002
【特許請求の範囲】
【請求項１】
容器保持用バンド１にペットボトルを嵌入させて保持するペットボトルの水切り用具。
【発明の詳細な説明】
【発明の詳細な説明】
【技術分野】
【０００１】  本発明は使用済みペットボトルの水切り及び、乾燥に関するものである。
【背景技術】
【０００２】  従来の発明については、棒またはホルダーにペットボトルを差し込んで保持し、乾燥させるというものであった。
【特許文献１】      特開２００２−２２３９２８
【特許文献１】      特開２００２−０５８６２８
【発明の開示】
【発明が解決しようとする課題】
【０００３】  従来のペットボトルや紙パックの牛乳容器などの洗浄後の水切り用具として、背景技術で前述したように特許文献１や特許文献２のような先行技術の発明がなされているが、いずれの場合も、容器の口の中に棒または挿入部を挿入し、それにより容器を保持し、容器内に残った洗浄水の残水が下に落ち、その棒又は挿入部にたれてくるようになっている。
従って、棒又は挿入部の下部に水垢が溜まり不衛生となっている欠点があった。
本発明は、これらの欠点を解決するためになされたものであるが、そのようなペットボトルや牛乳パックなどの水切りだけでなく、サラダ油やボトル入りの洗剤などのように、粘度のある液体を時間をかけて、最後まで使い切るためにも、使用できるように発明されたものである。
【課題を解決するための手段】
【０００４】  上記の問題点を解決するために、本発明は、棒又は挿入部をペットボトルの口に差し込まず、容器保持用バンド１にペットボトルを嵌入させて保持する方法を採用した。【０００５】  図１，図２，図３は、吸盤２に容器保持用バンド１を挿着したそれぞれの図である。【０００６】  図４，図５，図６は、スタンドの支柱５にスライド式鉤部材（支持部材）６、保持用バンド支持部３を介し、容器保持用バンド１を取り付けたそれぞれの図である。【０００７】  まず、図１から説明する。この図は、容器を容器保持用バンド１で内嵌した正面図である。
空の容器は軽いため、この容器保持用バンド１で内嵌できる。この容器保持用バンド１の部材は、金属でもいいが、その他合成樹脂等でもよい。【０００８】  次に図２を説明する。この図は吸盤２に容器保持用バンド１を挿着し、壁面に吸盤２を吸着させた側面図である。【０００９】  図３は、同じく吸盤２に容器保持用バンド１を挿着し、壁面に吸盤２を吸着させた平面図である。【００１０】  次に【０００６】で前述したスタンド式を図に従って説明する。
図５に示す通り、このスタンド式は、支台４に支柱５を取り付け、その支柱にスライド式鉤部材（支持部材）６をスライド可能に軸着する。
この場合、スライド式鉤部材（支持部材）６と保持用バンド支持部３は、一体物とする。
図６は、図５の平面図である。【００１１】  このスタンド式は、ボトル入りの洗剤やサラダオイルなどのように、粘度のある液体を時間をかけて、最後まで出し切ってしまうときに使用したり、または、ペットボトルの水切りとして使用する場合、吸盤がつき易い平らな壁面がない場合などに便利である。
【発明の効果】
【００１２】  本発明の吸盤式は、容器保持用バンド１によりペットボトルの横方向が固定され、壁を利用することでペットボトルの縦方向が固定され、かつ、重力によりほぼ垂直に逆立った状態で水切りができ、ペットボトルを棒・ホルダーに挿入しないことで衛生面及び水垢の問題を解決する。また、壁を利用することでペットボトルの置き場所をとらない利点がある。
一方、スタンド式は、吸盤が吸着し易い平らな壁面がない場合などに便利であると同時に、支柱に軸着したスライド式鉤部材（支持部材）６及び保持用バンド支持部３の一体物はスライドが可能なため、容器の大きさによって上下の調節ができる利点がある。
【発明の実施するための最良の形態】
【００１３】  本発明の吸盤式は弾性を有した吸盤２に容器保持用バンド１を挿着する。
この吸盤式は、平らな壁面に吸盤を吸着させて使用する。
一方、スライド式は、支台４に支柱５を取り付け、その支柱５にスライド式鉤部材（支持部材）６をスライド可能に軸着する。
また、この場合、スライド式鉤部材（支持部材）６と保持用バンド支持部３は一体物として製作する。
スライド式は、容器に合わせて保持用バンド１の高さをスライドさせ、調節して使用する。
【実施例１】
【００１４】  保持用バンド１は、金属、合成樹脂等が好ましいが、他にもゴムなどを使用することもできる。
【産業上の利用可能性】
【００１５】  ペットボトル飲料の生産は増大しており、ペットボトルの持つ軽量という利点を生かし水筒として再利用する家庭が増加している現状に対応し、本発明は衛生的に乾燥させることができる。また、自治体においてはペットボトルの回収時に洗浄・乾燥を要するところもあり、回収の促進に効果がある。
本発明の吸盤式は家庭においてペットボトル容器の洗浄後の乾燥場所に困る実態を克服し、ペットボトルに限らず、多種の容器の乾燥に応用できる。かつ、本発明は容易に量産できるという利点がある。
一方、スタンド式は、サラダオイル、ボトル入り洗剤など、粘度のある液体を長時間かけて、完全に使い切ってしまうという経済的な利点もある。
【図面の簡単な説明】
【００１６】
【図１】本発明の吸盤式の使用状態を示す正面図
【図２】本発明の吸盤式の使用状態を示す側面図
【図３】本発明の吸盤式の使用状態を示す平面図
【図４】本発明のスタンド式の使用状態を示す正面図
【図５】本発明のスタンド式の使用状態を示す側面図
【図６】本発明のスタンド式の使用状態を示す平面図
【図７】本発明の保持用バンド支持部３とスライド式鉤部材（支持部材）６の一体物の詳細平面図
【図８】本発明の保持用バンド支持部３とスライド式鉤部材（支持部材）６の一体物の詳細側面図
【図９】本発明の保持用バンド支持部３とスライド式鉤部材（支持部材）６の一体物の詳細正面図
【図１０】本発明の保持用バンド支持部３とスライド式鉤部材（支持部材）６の一体物の詳細背面図
【図１１】支台４と支柱５を取り付ける詳細図
【符号の説明】
【００１７】１．容器保持用バンド
２．吸盤
３．保持用バンド支持部
４．支台
５．支柱
６．スライド式鉤部材（支持部材）
７．スタンド滑り止めゴム
８．蝶螺子
９．支柱孔
１０．螺子部
１１．孔
１２．ワッシャー
１３．ナット
【図１】
2006015316.tif 000003
【図２】
2006015316.tif 000004
【図３】
2006015316.tif 000005
【図４】
2006015316.tif 000006
【図５】
2006015316.tif 000007
【図６】
2006015316.tif 000008
【図７】
2006015316.tif 000009
【図８】
2006015316.tif 000010
【図９】
2006015316.tif 000011
【図１０】
2006015316.tif 000012
【図１１】
2006015316.tif 000013